(57)【要約】【課題】２つのタッチパネル間で表示部を移動させる際にもユーザへの操作負担を抑えることが可能な携帯端末装置を提供する。【解決手段】上記課題を解決するために本願発明は、ユーザによる接触を検知する接触検知部と、前記第１のタッチパネル上の表示物の位置で押圧が開始され、その後前記第１のタッチパネル上での押圧が解除されたときに、前記接触検知部により接触が検知されているか否かを判定する第１判定部と、前記第１判定部により接触が検知されていると判定された場合において前記接触検知部による接触が検知されなくなったときに、前記第２のタッチパネル上で押圧が開始されているか否かを判定する第２判定部と、前記第２判定部により押圧が開始されていると判定されたときは、前記第２のタッチパネル上の押圧されている位置に前記表示物を表示する表示制御手段と、を備えたことを特徴とする。【選択図】  図２
2011070474.tif 000002
【特許請求の範囲】
【請求項１】
第１及び第２のタッチパネルを備え、タッチパネル上の表示物の位置で押圧が開始されてから押圧位置が変化して押圧が解除されるまでの間において、押圧されている位置に対応して当該表示物を表示する機能を有する携帯端末装置であって、
前記第１のタッチパネルと前記第２のタッチパネルとの間に設けられ、ユーザによる接触を検知する接触検知部と、
前記第１のタッチパネル上の表示物の位置で押圧が開始され、その後前記第１のタッチパネル上での押圧が解除されたときに、前記接触検知部にて接触が検知されているか否かを判定する第１判定部と、
前記第１判定部により接触が検知されていると判定された後に、前記接触検知部にて接触が検知されなくなったときは、前記第２のタッチパネル上で押圧が開始されているか否かを判定する第２判定部と、
前記第２判定部により押圧が開始されていると判定されたときは、前記第２のタッチパネル上の押圧されている位置に前記表示物を表示する表示制御部と、
を備えたことを特徴とする携帯端末装置。
【請求項２】
前記表示制御部は、前記第１のタッチパネル上の表示物の位置で押圧が開始され、その後前記第１のタッチパネル上での押圧が解除された場合において、前記接触検知部にて接触が検知されていないと判定されたときは、前記第１のタッチパネル上の押圧が解除された位置に前記表示物を表示すること
を特徴とする請求項１記載の携帯端末装置。
【請求項３】
前記表示制御部は、第２判定部により前記第２のタッチパネル上で押圧が開始されていないと判定したときは、前記第１のタッチパネル上の押圧が開始された位置に前記表示物を表示すること
を特徴とする請求項１又は請求項２に記載の携帯端末装置。
【請求項４】
前記第１のタッチパネルを備えた第１の筐体と、前記第２のタッチパネルと前記接触検知部とを備えた第２の筐体とで構成されていること
を特徴とする請求項１乃至請求項３に記載の携帯端末装置。
【請求項５】
前記携帯端末装置は、更に、前記第１のタッチパネルを覆う位置に前記第２の筐体が配置された閉状態と前記第１のタッチパネルと前記第２のタッチパネルが共に略同一平面に並んで配置された開状態とに開閉可能であり、
自機が閉状態にある場合において、前記第２のタッチパネル上の表示物の位置で押圧が開始され、その後前記第２のタッチパネル上での押圧が解除されたときに、前記接触検知部にて接触が検知されているか否かを判定する第３判定部と、を備え、
前記表示制御部は、前記第３判定部により前記接触検知部にて接触が検知されていると判定された後に、閉状態から開状態へと遷移したときは、前記第２のタッチパネル上の表示部を前記第１のタッチパネル上に表示させること
を特徴とする請求項４に記載の携帯端末装置。
【請求項６】
第１及び第２のタッチパネルを備え、タッチパネル上の表示物の位置で押圧が開始されてから押圧位置が変化して押圧が解除されるまでの間において、押圧されている位置に対応して当該表示物を表示する機能を有する携帯端末装置であって、
前記第１のタッチパネルと前記第２のタッチパネルとの間に設けられ、ユーザによる接触を検知する第１接触検知部と、
前記第１接触検知部と前記第２のタッチパネルとの間に設けられ、ユーザによる接触を検知する第２接触検知部と、
前記第１のタッチパネル上の表示物の位置で押圧が開始され、その後前記第１のタッチパネル上での押圧が解除されたときに、前記第１接触検知部により接触が検知されているか否かを判定する第１判定部と、
前記第１判定部により接触が検知されていると判定された場合において前記第１接触検知部にて接触が検知されなくなったときに、前記第２接触検知部により接触が検知されているか否かを判定する第２判定部と、
前記第２判定部により接触が検知されていると判定された場合において前記第２接触検知部にて接触が検知されなくなったときに、前記第２のタッチパネル上で押圧が開始されているか否かを判定する第３判定部と、
前記第３判定部により押圧が開始されていると判定されたときは、前記第２のタッチパネル上の押圧されている位置に前記表示物を表示する表示制御部と、
を備えたことを特徴とする携帯端末装置。
【請求項７】
前記表示制御部は、前記第１のタッチパネル上の表示物の位置で押圧が開始され、その後前記第１のタッチパネル上での押圧が解除された場合において、前記第１接触検知部にて接触が検知されていないと判定されたときは、前記第１のタッチパネル上の押圧が解除された位置に前記表示物を表示すること
を特徴とする請求項６に記載の携帯端末装置。
【請求項８】
前記表示制御部は、第２判定部により接触が検知されていないと判定された場合には、前記第１のタッチパネル上の押圧が開始された位置に前記表示物を表示すること
を特徴とする請求項６乃至請求項７に記載の携帯端末装置。
【請求項９】
前記表示制御部は、第３判定部により前記第２のタッチパネル上で押圧が開始されていないと判定したときは、前記第１のタッチパネル上の押圧が開始された位置に前記表示物を表示すること
を特徴とする請求項６乃至請求項７に記載の携帯端末装置。
【請求項１０】
前記携帯端末装置は、更に、押圧を検出してから押圧が解除されるまでの間、押圧の位置の変化を記憶する記憶部を備え、
前記表示制御部は、前記記憶部が記憶した押圧の位置の変化に基づいて、押圧を検出してから押圧が解除されるまでの軌跡を前記第１のタッチパネル又は前記第２のタッチパネルのいずれかに表示する
ことを特徴とする請求項１乃至請求項９に記載の携帯端末装置。
【発明の詳細な説明】
【技術分野】
【０００１】
本発明は、複数のタッチパネルを有する携帯端末装置に関する。
【背景技術】
【０００２】
２つのタッチパネルを有する携帯端末装置が知られている（特許文献１）。近年の携帯端末装置は、パソコン等に引けを取らないような複雑な機能を実現できるようになっており、それに伴いより複雑な表示が必要になってきている。
【０００３】
そのため、上述のような２つのタッチパネルを有する携帯端末装置において、１つの機能に係る複雑な表示を２つのタッチパネルを用いて行うケースが考えられるが、このように２つのタッチパネルに分割して表示した場合、タッチパネルを跨ぐドラッグ操作等が必要となり得る。
【０００４】
これに対しては、片方の手で第１のタッチパネルに表示されているウインドウ等の表示物をタッチしながら、他方の手で第２のタッチパネル上の所望の位置をタッチし、その後に、第１のタッチパネルから手を離すことで第１のタッチパネルから第２のタッチパネルに表示物を移動させる方法が知られている（特許文献２）。
【先行技術文献】
【特許文献】
【０００５】
【特許文献１】特開２００６−３１１２２４号公報
【特許文献２】特開２００５−０９２４７６号公報
【発明の概要】
【発明が解決しようとする課題】
【０００６】
しかしながら、携帯端末装置では、片方の手で機器を持って操作を行うのが一般的であるため、一方のタッチパネルから他方のタッチパネルに表示物を移動させる際に両手を使わなければならない特許文献２の方法は不便である。
【０００７】
更に、特許文献２の方法では、一方のタッチパネルから他方のタッチパネルに表示物を移動させる際に、ユーザは、１つのタッチパネル内で表示物を移動させる場合のドラッグ操作とは異なる操作を行う必要がある。つまり、ユーザは、１つのタッチパネル内で表示物を移動させるのか、一方のタッチパネルから他方のタッチパネルに表示物を移動させるのかを意識して操作しなければならないので、ユーザへの操作負担が増えるという問題がある。
【０００８】
そこで、本発明は係る問題に鑑みてなされたものであり、一方のタッチパネルから他方のタッチパネルに表示物を移動させる際にもユーザへの操作負担を抑えることが可能な携帯端末装置を提供することを目的とする。
【課題を解決するための手段】
【０００９】
上記課題を解決するために、本発明に係る携帯端末装置は、第１及び第２のタッチパネルを備え、タッチパネル上の表示物の位置で押圧が開始されてから押圧位置が変化して押圧が解除されるまでの間において、押圧されている位置に対応して当該表示物を表示する機能を有する携帯端末装置であって、前記第１のタッチパネルと前記第２のタッチパネルとの間に設けられ、ユーザによる接触を検知する接触検知部と、前記第１のタッチパネル上の表示物の位置で押圧が開始され、その後前記第１のタッチパネル上での押圧が解除されたときに、前記接触検知部にて接触が検知されているか否かを判定する第１判定部と、前記第１判定部により接触が検知されていると判定された後に、前記接触検知部にて接触が検知されなくなったときは、前記第２のタッチパネル上で押圧が開始されているか否かを判定する第２判定部と、前記第２判定部により押圧が開始されていると判定されたときは、前記第２のタッチパネル上の押圧されている位置に前記表示物を表示する表示制御部と、を備えたことを特徴とする。
【００１０】
ここで、表示物の位置での押圧開始から、押圧位置の変化に対応して表示されるところのその表示物は、例えばアイコンや画像やテキスト等の、タッチパネル内に表示される表示要素を意味する。
【発明の効果】
【００１１】
上記構成を備えることにより、ユーザの操作負担を抑えながら、一方のタッチパネルから他方のタッチパネルへ表示物を移動させることができる。
【図面の簡単な説明】
【００１２】
【図１】携帯電話機１００の外観斜視図である。
【図２】携帯電話機１００における２つのタッチパネルを跨ぐドラッグ＆ドロップ操作を利用した操作例を説明するための図である。
【図３】メール作成画面の一例を示すための図である。
【図４】携帯電話機１００の構成図である。
【図５】ユーザによるドラッグ＆ドロップ操作に対する携帯電話機１００の制御処理を示すフローチャートである。
【図６】携帯電話機１００の制御処理の遷移を説明するための図である。
【図７】その他の実施の形態（１）に係る携帯電話機１００の制御処理を示すフローチャートである。
【図８】その他の実施の形態（１）に係る携帯電話機１００の制御処理の遷移を説明するための図である。
【図９】その他の実施の形態（２）に係る携帯電話機１００の制御処理の遷移を説明するための図である。
【発明を実施するための形態】
【００１３】
以下、本発明に係る携帯端末装置の実施の形態としての携帯電話機について説明する。
【００１４】
図１は、スライド型の携帯電話機１００の外観斜視図である。携帯電話機１００は、上部筐体１０１と、下部筐体１０２とで構成されている。上部筐体１０１には、スピーカ１０３、マイク１０４、タッチパネル１０５及びタッチセンサ１０７が設けられている。下部筐体１０２には、タッチパネル１０６及びタッチセンサ１０８が設けられている。各タッチパネル上には、ユーザからの指示に基づいて、カーソルキーやテンキー等のキー群やアイコン等が表示され、ユーザは、これらを指等でタッチすることにより各種操作を行うことができる。また、上部筐体１０１と下部筐体１０２とは開閉可能に連結されている。
【００１５】
図１（Ａ）は、上部筐体１０１と下部筐体１０２とが閉じた状態にある場合の外観斜視図である。閉じた状態とは、上部筐体１０１が、下部筐体１０２のタッチパネル１０６を覆うような相対位置にある場合である。本実施の形態では、閉じた状態を閉状態と称する。
【００１６】
図（Ｂ）は、上部筐体と下部筐体とが開いた状態にある場合の外観斜視図である。開いた状態とは、上部筐体１０１に設けられたタッチパネル１０５と下部筐体１０２に設けられたタッチパネル１０６とを同一方向からの視認が可能な関係となる相対位置である。本実施の形態では、開いた状態を開状態と称する。
〔概要〕
最初に、図２を用いて、２つのタッチパネルを跨ぐドラッグ＆ドロップ操作を利用した操作例の概要を説明する。
図２（Ａ）では、各タッチパネル１０５、１０６の上にアイコン１乃至５が表示された例を示しており、特に、タッチパネル１０６上のアイコン５をユーザが指６でタッチして、タッチしたまま指を携帯電話機１００から離さないまま移動させようとしている様子（ドラッグしようとしている様子）を示している。
【００１７】
ユーザが、タッチした指６を携帯電話機１００から離さないまま、このアイコン５をタッチパネル１０５に向かって移動させていくと、タッチセンサ１０８及びタッチセンサ１０７上を通過した後に、タッチパネル１０５の領域に入る（図２（Ｂ）参照）。指６が、タッチパネル１０６の外に出た場合であっても、タッチパネル１０６におけるタッチパネル１０５側の境界でアイコン５へのタッチが解除されない。
【００１８】
引き続き、タッチパネル１０５上で指を滑らせていき、メールのアイコン１の上でアイコン５をドロップすること、つまり、タッチパネル１０５上を滑らせてきた指が、タッチパネル１０５上のアイコン１の位置にきたときに、その指をタッチパネル１０５から離す（タッチパネル１０５の押圧を解除する）ことで、図３に示すように、ドロップしたアイコン５に対応するファイルが添付された新規メールの作成画面が表示される。
【００１９】
このように、ユーザは、離れて配置された２つのタッチパネル間においても、あたかも１つのディスプレイで操作しているかのように、ドラッグ＆ドロップ操作を行うことができる。
〔構成〕
図４は、携帯電話機１００の構成図である。
【００２０】
携帯電話機１００は、無線部１１０、マイク１０４、スピーカ１０３、信号処理部１１３、開閉検出部１１２、タッチパネル１０５、タッチパネル１０６と、タッチセンサ１０７と、タッチセンサ１０８と、記憶部１１１、及び制御部１１８により構成されている。
【００２１】
無線部１１０は、アンテナ１０９を介して送受信する信号の変復調を行う。
【００２２】
信号処理部１１３は、マイク１０４から入力される音声信号を無線部１１０を介して送信するための処理や、アンテナ１０９から無線部１１０を介して受信した音声信号をスピーカ１０３へ出力するための処理を行う。また、信号処理部１１３は、無線部１１０を介して電子メール等のデータを受信し、制御部１１８へ出力する。
【００２３】
マイク１０４は、入力された音声を音声信号として信号処理部１１３へ出力する。
【００２４】
スピーカ１０３は、信号処理部１１３にて処理された音声信号又は制御部１１８より受け取った音声データを音声として出力する。
【００２５】
タッチパネル１０５は表示部１１４及び入力部１１５を、タッチパネル１０６は、表示部１１６及び入力部１１７を備えて構成されている。
【００２６】
各表示部１１４、１１６は、ＬＣＤ（Ｌｉｑｕｉｄ  Ｃｒｙｓｔａｌ  Ｄｉｓｐｌａｙ）を含み、制御部１１８からの指示に基づいて、文字やアイコン等の画像をＬＣＤに表示する機能を有している。
【００２７】
また、各表示部１１４、１１６は、後述する記憶部１１１が記憶している座標値に基づいて、タッチ状態からデタッチ状態までの間にユーザの指がなぞった軌跡を表示する機能を有している。
【００２８】
各入力部１１５，１１７は、ユーザによるタッチを検出し、検出している間、単位時間（例えば１／６０秒）毎に、タッチしている位置の座標値を、制御部１１８を介して記憶部１１１に出力する。尚、各入力部１１５，１１７は、一般的なタッチパネルで用いられている抵抗膜方式、光学式、静電容量結合式等の何れの方法で実現するものであってもよい。
【００２９】
タッチセンサ１０７は、上部筐体１０１の表面又は内部に設けられ、ユーザによるタッチを検出し、検出している間、単位時間（例えば１／６０秒）毎に、その位置の座標値を、制御部１１８を介して記憶部１１１に出力する。尚、タッチセンサ１０７は、一般的なタッチパネル等で用いられている抵抗膜方式、光学式、静電容量結合式等の何れの方法で実現するものであってもよい。
【００３０】
タッチセンサ１０８は、下部筐体１０２の表面又は内部に設けられ、ユーザによるタッチを検出し、検出している間、単位時間（例えば１／６０秒）毎に、その位置の座標値を、制御部１１８を介して記憶部１１１に出力する。尚、タッチセンサ１０８は、一般的なタッチパネル等で用いられている抵抗膜方式、光学式、静電容量結合式等の何れの方法で実現するものであってもよい。
【００３１】
記憶部１１１は、ＲＯＭ、ＲＡＭ、ＥＥＰＲＯＭ、不揮発性ＲＡＭ、フラッシュメモリ、ＨＤＤ等で構成され、制御部１１８で処理されるプログラム等を記憶する。
【００３２】
また、記憶部１１１は、ユーザによるタッチを検出している間、各入力部１１５，１１７及び各タッチセンサ１０７，１０８から出力される座標値を単位時間（例えば１／６０秒）毎に記憶する機能を有する。つまり、記憶部１１１は、タッチ状態からデタッチ状態までの間に出力された座標値を記憶する。記憶部１１１は、タッチ状態からデタッチ状態に変わると、記憶した座標値を制御部１１８に出力する。
【００３３】
制御部１１８は、操作状態検出部１１９、接触検出部１２０及び操作判定部１２１とで構成され、携帯電話機１００の全体動作の制御を行う。制御部１１８は、例えばＣＰＵ（Central Processing Unit）などの処理手段である。
【００３４】
操作状態検出部１１９は、各入力部１１５，１１７から送出された座標値に応じて、各タッチパネル１０５，１０６の操作状態を検出する機能を有する。各タッチパネル１０５，１０６の操作状態には、ユーザの指等がタッチパネルをタッチした（タッチパネルの押圧を開始した）タッチ状態の他、タッチパネルから指等を離した（タッチパネルの押圧を解除した）デタッチ状態、タッチ状態になった後であってデタッチ状態になっていないドラッグ状態がある。なお、一般的にドラッグ状態という場合、タッチされている位置が移動することになるが、本実施の形態では、全く位置が移動しない場合も含め、ドラッグ状態と表現している。操作状態検出部１１９は、検出した操作状態を操作判定部１２１に出力する。
【００３５】
接触検出部１２０は、各タッチセンサ１０７，１０８から出力された結果に応じて、ユーザの指等が触れているか否かを検出する機能を有する。接触検出部１２０は、検出した結果を操作判定部１２１に出力する。
【００３６】
操作判定部１２１は、操作状態検出部１１９によりタッチパネル１０６においてデタッチ状態を検出した場合に、接触検出部１２０により検出された結果に基づいてドラッグ状態を継続するか否かを判定する機能を有する。具体的な判定方法を次に説明する。操作判定部１２１は、操作状態検出部１１９がデタッチ状態と判定した場合において接触検出部１２０によりタッチセンサ１０８への接触が検出されているときは、操作判定部１２１は、ドラッグ状態を継続する。そして次に、ドラッグ状態を継続している間にタッチセンサ１０８への接触が検知されなくなった場合において、接触検出部によりタッチセンサ１０７への接触が検出されているときは、ドラッグ状態を継続する。そして、操作判定部１２１は、ドラッグ状態を継続している間にタッチセンサ１０７への接触が検知されなくなった場合において、操作状態判定部１１９によりタッチパネル１０６にてタッチ状態を検出しているときは、ドラック状態を継続する。
【００３７】
開閉検出部１１２は、下部筐体１０２に対する上部筐体１０１の相対位置を検出する機能を有する。具体的には、開閉検出部１１２は、携帯電話機１００が、開状態にあるのか、閉状態にあるのかを検出する。開閉検出部１１２は、検出した結果を制御部１１８に出力する。開閉検出部１１２の例としては、例えば上部筐体１０１と下部筐体０２とに磁石センサを設けることが考えられる。磁石センサを設けることにより、閉状態にあるときは、互いの磁石センサが近接することで電気信号が流れ、開状態にあるときは、磁石センサは離れているため電気信号は流れないように構成してもよい。
〔動作の説明〕
次に、上記構成を備える携帯電話機１００の動作について、図５、図６を用いて説明する。
【００３８】
最初に、携帯電話機１００は、各表示部１１４、１１６アイコンを表示する（Ｓ１）。そして、各入力部１１５，１１７は、ユーザによるタッチを検出した場合に、タッチを検出した位置の座標値を制御部１１８に出力する（Ｓ２）。制御部１１８は、各入力部１１５、１１７から出力された座標値に基づいて、タッチを検出した位置にあるアイコンを特定する（Ｓ３）。
本実施例においては、例えば、図６（Ａ）に示すように、制御部１１８は、タッチパネル１０５にアイコン１を、タッチパネル１０６にアイコン２乃至アイコン５を表示し、そして、ユーザの指がタッチパネル１０６にタッチした場合に入力部１１７が出力した座標値に基づいて、アイコン５を特定したものとする。
【００３９】
次に、操作状態検出部１１９は、タッチパネル１０６にてデタッチ状態に遷移したか否かを検出する（Ｓ４）。操作判定部１２１は、操作状態検出部１１９によりタッチパネル１０６にてデタッチ状態が検出された場合に、接触検出部１２０によりタッチセンサ１０８にてユーザによるタッチが検出されているか否かを判定する。操作判定部は、タッチセンサ１０８にてユーザによるタッチが検出されていない場合には（Ｓ５のＮｏ）、デタッチ状態と判定する。表示部１１６は、デタッチを検出した座標値に、Ｓ３により特定されたアイコンを表示させる（Ｓ１１）。
【００４０】
操作判定部１２１は、タッチセンサ１０８にてユーザによるタッチが検出されている場合には（Ｓ５のＹｅｓ）、タッチ状態を継続する。具体的には、例えば図６（Ｂ）に示すように、操作判定部１２１は、ユーザの指６が、携帯電話機１００に触れながら矢印７の方向に動くことにより、タッチパネル１０６の領域を出た後にタッチセンサ１０８の領域に入ったときは、タッチ状態（又はドラッグ状態）を継続する。
【００４１】
次に、操作判定部１２１は、接触検出部１２０によりタッチセンサ１０８へのタッチが検出されなくなったか否かを判定する（Ｓ６）。操作判定部１２１は、タッチセンサ１０８へのタッチが検出されなくなった場合に、接触検出部１２０の出力に基づいて、タッチセンサ１０７にてユーザによるタッチが検出されているか否かを判定する（Ｓ７）。操作判定部１２１は、タッチセンサ１０７にてユーザによるタッチが検出されていない場合は（Ｓ７のＮｏ）、デタッチ状態と判定する（Ｓ１２）。表示部１１６は、操作判定部１２１によりデタッチ状態と判定された場合には、Ｓ３により特定されたアイコン５を初期の位置（Ｓ２により検出された座標値）に表示させる（Ｓ１３）。具体的には、操作判定部１２１は、例えば図６（Ｂ）において、ユーザの指６が矢印８の方向に動くことにより、タッチセンサ１０８の領域内にあるユーザの指６がタッチセンサ１０７への領域に移動せずにタッチセンサ１０８から離れた場合には、デタッチ状態と判定する。この場合に、表示部１１６は、アイコン５を元の位置（図６（ａ）のアイコン５の位置）に表示する。
【００４２】
操作判定部１２１は、タッチセンサ１０７にてユーザによるタッチが検出されている場合は（Ｓ７のＹｅｓ）、タッチ状態を継続する。具体的には、例えば、操作判定部１２１は、図６（Ｂ）に示すように、ユーザの指６が、携帯電話機１００に触れながら矢印９の方向に動くことにより、タッチセンサ１０８の領域を出た後にタッチセンサ１０７の領域に入ったときは、タッチ状態（又はドラッグ状態）を継続する。
【００４３】
次に、操作判定部１２１は、接触検出部１２０からの出力に基づいて、タッチセンサ１０７へのタッチが検出されなくなったか否かを判定する（Ｓ８）。操作判定部１２１は、タッチセンサ１０７へのタッチが検出されなくなった場合に、操作状態検出部１１９からの出力に基づいて、タッチパネル１０５にてユーザによるタッチが検出されているか否かを判定する（Ｓ９）。操作判定部１２１は、タッチパネル１０５にてユーザによるタッチが検出されていない場合には（Ｓ９のＮｏ）、デタッチ状態と判定する（Ｓ１２）。表示部１１６は、操作判定部１２１によりデタッチ状態と判定された場合には、Ｓ３により特定されたアイコンを初期の位置（Ｓ２により検出された座標値）に表示させる（Ｓ１３）。具体的には、操作判定部１２１は、図６（Ｂ）に示すように、ユーザの指６が、携帯電話機１００に触れながら矢印１０の方向に動くことにより、タッチセンサ１０７の領域内にあるユーザの指６がタッチパネル１０５の領域内に移動せずにタッチセンサ１０７から離れた場合には、デタッチ状態と判定する。この場合に、表示部１１６は、アイコン５を元の位置（図６（Ａ）のアイコン５の位置）に表示する。
【００４４】
操作判定部１２１は、タッチパネル１０５にてユーザによるタッチを検出している場合には（Ｓ９のＹｅｓ）、タッチ状態を継続する。そして、表示部１１４は、タッチパネル１０５にてユーザによるタッチを検出している位置に、Ｓ３により特定されたアイコンを表示させる（Ｓ１０）。具体的には、操作判定部１２１は、図６（Ｂ）に示すように、ユーザの指６が、携帯電話機１００に触れながら矢印１１の方向に動くことにより、タッチセンサ１０７の領域を出た後にタッチパネル１０５の領域に入ったときは、タッチ状態（又はドラッグ状態）を継続する。そして、表示部１１４は、入力部１１５が検出したタッチ位置にアイコン５を表示させる。
【００４５】
以上の動作を行うことにより、離れて配置された２つのタッチパネル間においても、ユーザは、あたかも１つのディスプレイで操作しているかのように、ドラッグ＆ドロップ操作を行うことができる。
〔その他の実施の形態〕
（１）本実施の形態では、携帯電話機１００が開状態にある場合に、一方のタッチパネルに表示されているアイコンを他方のタッチパネルに移動させることで説明をした。しかしながら、本発明は、必ずしも携帯電話機１００が開状態にある場合に限定されない。そのため、携帯電話機１００が閉状態にある場合に、一方のタッチパネルに表示されているアイコンを他方のタッチパネルに移動させる実施の形態を、図７及び図８を用いて説明する。
【００４６】
最初に、制御部１１８は、開閉検出部１１２からの出力に基づいて、自機が開状態にあるか閉状態にあるかを判定する（Ｓ２１）。制御部１１８は、開状態にあると判定した場合には図５のＳ１に移行する（Ｓ２１のＮｏ）。Ｓ１以降の動作については〔動作の説明〕にて説明したのと同等であるため、説明は省略する。制御部１１８は、閉状態にあると判定した場合には（Ｓ２１のＹｅｓ）、表示部１１４にアイコンを表示する（Ｓ２２）。次に、入力部１１５は、タッチパネル１０５にてユーザによるタッチを検出した場合に、タッチを検出した位置の座標を制御部１１８に出力する（Ｓ２３）。制御部１１８は、入力部１１５から出力された座標値に基づいて、タッチを検出した位置にあるアイコンを特定する（Ｓ２４）
具体的には、例えば図８（Ａ）に示すように、制御部１１８は、タッチパネル１０５にてアイコン２及びアイコン３を表示し、そして、ユーザの指がタッチパネル１０５にタッチした場合に入力部１１５が出力した座標値に基づいて、アイコン２を特定する。
【００４７】
次に、操作判定部１２１は、操作状態検出部１１９からの出力に基づいて、タッチパネル１０５にてデタッチ状態を検出したか否かを判定する（Ｓ２５）。そして、操作判定部１２１は、タッチパネル１０５にてデタッチ状態を検出した場合に、タッチセンサ１０７にてユーザの指６によるタッチが検出されているか否かを判定する（Ｓ２６）。操作判定部１２１は、タッチセンサ１０７にてユーザの指６によるタッチが検出されていない場合には、デタッチ状態と判定する（Ｓ２６のＮｏ）。表示部１１４は、操作判定部１２１によりデタッチ状態と判定された場合には、デタッチを検出した位置にアイコン２を表示させる（Ｓ３０）。
【００４８】
操作判定部１２１は、タッチセンサ１０７にてユーザの指６によるタッチを検出した場合には、タッチ状態を継続する（Ｓ２６のＹｅｓ）。具体的には、例えば図８（Ｂ）にて示すように、ユーザの指６が、携帯電話機１００に触れながら矢印１２の方向に動くことにより、タッチパネル１０５の領域を出た後にタッチセンサ１０７の領域に入ったときは、タッチ状態を継続する。
【００４９】
表示部１１４は、タッチセンサ１０７へのユーザの指６によるタッチを検出しなくなった後に、タッチパネル１０５からアイコン２の表示を消す（Ｓ２７）。
【００５０】
次に、制御部１１８は、自機が開状態に遷移したか否かを判定する（Ｓ２８）。表示部１１６は、開状態に遷移した場合には（Ｓ２８のＹｅｓ）、タッチパネル１０６の所定の箇所にアイコン２を表示する（Ｓ２９）。具体的には、例えば図８（Ｃ）に示すように、表示部１１６は、閉状態から開状態に遷移した場合に、アイコン２をタッチパネル１０６の所定の箇所に表示する。
【００５１】
以上の動作を行うことにより、携帯電話機１００が閉状態にある場合であっても、一方のタッチパネルに表示されているアイコンを他方のタッチパネルに移動させることができる。
（２）制御部１１８は、タッチ状態からデタッチ状態に遷移するまでの間、各入力部及び各タッチセンサが出力した座標値を用いて、ユーザの指６が描いた軌跡をタッチパネルに表示させてもよい。具体的には、例えば図９（Ａ）に示すように、ユーザの指６が携帯電話機１００に触れながら軌跡１３（三角形の軌跡）を描いたとする。制御部１１８は、記憶部１１１に、ユーザの指６が軌跡１３を描いている間に各入力部及び各タッチセンサから出力された座標値を記憶させる。制御部１１８は、操作判定部１２１が、操作状態検出部１１９及び接触検出部１２０からの出力に基づいてデタッチ状態であると判定した後に、例えばアイコン１４等を介して、ユーザから軌跡を表示する指示を受け付けたときは、記憶した座標値に基づいて作成される軌跡１３を縮小させた軌跡１５を、タッチパネル１０５に表示させる。図９（Ｂ）には、表示部１１４が、タッチパネル１０５に、ユーザの指６が描いた軌跡１３を縮小させた軌跡１５を表示している例を示している。
（３）本実施の形態では、スライド型の携帯電話機にて説明したが、必ずしもスライド型に限定されない。例えば、開閉機構を備えないストレートタイプの携帯電話機であってもよい。この場合には、２つのタッチパネルの間に設けるタッチセンサは、タッチセンサ１０７又はタッチセンサ１０８のいずれか一方のみでよい。そして、開閉機構を備えないストレートタイプの携帯電話機にて本発明を実施する場合には、図７において、Ｓ６及びＳ７の処理は不要になる。
（４）制御部１１８は、更に、各タッチセンサ１０７、１０８の起動及び終了を制御することとしてもよい。例えば、制御部１１８は、タッチパネル１０６にてユーザの指によるタッチを検出した場合に、タッチセンサ１０８を起動し、そして、タッチセンサ１０８にてユーザの指によるタッチを検出した場合に、タッチセンサ１０７を起動することとしてもよい。制御部１１８がこのような処理を行うことにより、２つのタッチセンサにて消費される電力を低減させることができる。
（５）本実施の形態では、操作判定部１２１は、図５及び図６において、ユーザの指６が矢印９、１１の方向に移動する場合にタッチ状態を継続したが、必ずしも矢印９、１１の方向だけに限らない。例えば、操作判定部１２１は、ユーザの指６がタッチセンサ１０８にある場合に、矢印９の方向ではなく矢印７の逆方向に進んだときもタッチ状態を継続することとしてもよい。また、例えば、操作判定部１２１は、ユーザの指６がタッチセンサ１０７にある場合に、矢印１１の方向ではなく矢印９の逆方向に進んだとしてもタッチ状態を継続することとしてもよい。
（６）本実施の形態では、操作状態検出部１１９がデタッチ状態を検出した場合に、各タッチパネル１０５、１０６及び各タッチセンサ１０７、１０８のいずれかにタッチがあるときにドラッグ状態を継続することで記載したが、必ずしもこれに限定されない。操作状態検出部１１９がデタッチ状態を検出した場合に処理を行うのではなく、タッチパネル１０８にてドラッグ状態にある場合にタッチセンサ１０８にて接触を検知し、タッチパネル１０８にてデタッチを検出した場合に、例えばタッチセンサ１０８での接触が継続していれば、ドラック状態を継続することとしてもよい。つまり、指６がタッチパネル１０６からタッチセンサ１０８へ移動している場合に（例えば図６（Ｂ）の矢印７の方向に移動している場合に）、指６がタッチパネル１０６とタッチセンサ１０８の両方に接していることを検出したときには、例え操作状態検出部１１９がタッチパネル１０６にてデタッチ状態を検出したとしても、操作判定部１２１はドラッグ状態を継続することとしてもよい。指６が、タッチセンサ１０８からタッチセンサ１０７への移動する場合、そして、タッチセンサ１０７からタッチパネル１０５へ移動する場合においても同様である。
【００５２】
この他、実施の形態は、特許請求の範囲に示された技術思想の範囲内において、適宜、種々の変更が可能である。
【符号の説明】
【００５３】
１０３  スピーカ
１０４  マイク
１０５  タッチパネル
１０６  タッチパネル
１０７  タッチセンサ
１０８  タッチセンサ
１０９  アンテナ
１１０  無線部
１１１  記憶部
１１２  開閉検出部
１１３  信号処理部
１１４  表示部
１１５  入力部
１１６  表示部
１１７  入力部
１１８  制御部
１１９  操作状態判定部
１２０  接触検出部
１２１  操作判定部
【図１】
2011070474.tif 000003
【図２】
2011070474.tif 000004
【図３】
2011070474.tif 000005
【図４】
2011070474.tif 000006
【図５】
2011070474.tif 000007
【図６】
2011070474.tif 000008
【図７】
2011070474.tif 000009
【図８】
2011070474.tif 000010
【図９】
2011070474.tif 000011